(57)【要約】  板状部分における多角形は、互いに略直交する第１及び第２の対称軸を有する。板状部分の上面は隆起部（１３）を有し、隆起部の輪郭は、第１及び第２の対称軸に対して線対称になっている。隆起部の輪郭の横半部では、第１の対称軸の方向において多角形の輪郭に向かって凸状の短辺側山部（２１Ａ）と、短辺側山部（２１Ａ）の各端につながった凹状のコーナー側谷部（２２Ａ、２２Ｂ）と、各コーナー側谷部（２２Ａ、２２Ｂ）につながって多角形の輪郭に向かって凸状の長辺側山部（２３Ａ、２３Ｂ）と、が形成される。隆起部の上面及び下面の一方には、多角形の輪郭に向かうにつれて拡開する、少なくとも、隆起部を横断する一対の横リブ（３１Ａ、３１Ｂ）又は一対の縦リブ（３２Ａ、３２Ｂ）が形成される。これにより、樹脂製の略多（４以上）角形の板状部分の強度を機械的に且つ効果的に向上する構造を提供する。
2013175651.tif 000002
【特許請求の範囲】
【請求項１】
樹脂製の略多（４以上）角形の板状部分の強度を向上する構造であって、  前記多角形は、互いに略直交する第１の対称軸及び第２の対称軸を有し、  前記板状部分の上面は、前記多角形の輪郭よりも内側の領域で、上方に盛り上がるように形成された隆起部を有し、  前記隆起部の輪郭は、前記第１の対称軸及び前記第２の対称軸に対して線対称になっていて、  前記隆起部の輪郭の横半部では、  前記第１の対称軸の方向において前記多角形の輪郭に向かって凸状となっている短辺側山部と、  前記短辺側山部の各端につながり、前記第１の対称軸と前記第２の対称軸とに挟まれた領域で前記多角形の輪郭に向かって凹状となっているコーナー側谷部と、  前記各コーナー側谷部の前記短辺側山部の反対側の端につながり、前記多角形の輪郭に向かって凸状となっている長辺側山部と、が形成されており、  前記隆起部の上面及び下面の一方には、少なくとも、  前記多角形の輪郭に向かうにつれて拡開するように当該隆起部を横断する一対の横リブ、又は、  前記多角形の輪郭に向かうにつれて拡開するように当該隆起部を縦断する一対の縦リブが形成されている、構造。
【請求項２】
前記横リブ及び前記縦リブを有し、前記横リブが少なくとも前記隆起部の上面及び下面の一方にあり、前記縦リブが少なくとも前記隆起部の上面及び下面の一方にある、請求項１に記載の構造。
【請求項３】
前記横リブと前記縦リブとは、互いに交差している、請求項２に記載の構造。
【請求項４】
前記多角形は、短辺が前記第２の対称軸と平行に延在し且つ長辺が前記第１の対称軸と平行に延在する長方形である、請求項１ないし３のいずれか一項に記載の構造。
【請求項５】
前記短辺側山部は、前記短辺の中心に向かって凸状となっている、請求項４に記載の構造。
【請求項６】
前記コーナー側谷部は、前記短辺と前記長辺とが交わるコーナー部に向かって凹状となっている、請求項４又は５に記載の構造。
【請求項７】
前記長辺側山部は、前記長辺に向かって凸状となっている、請求項４ないし６のいずれか一項に記載の構造。
【請求項８】
前記一対の横リブは、前記第１の対称軸に対して線対称に配置されている、請求項４ないし７のいずれか一項に記載の構造。
【請求項９】
前記一対の横リブは、前記短辺に向かうにつれて拡開するように前記隆起部を横断する、請求項８に記載の構造。
【請求項１０】
前記一対の縦リブは、前記第２の対称軸に対して線対称に配置されている、請求項４ないし９のいずれか一項に記載の構造。
【請求項１１】
前記一対の縦リブは、前記長辺に向かうにつれて拡開するように前記隆起部を縦断する、請求項１０に記載の構造。
【請求項１２】
前記長辺側山部は、前記長辺の長さの約１/３の長さだけ前記短辺から離れた位置で前記長辺に向かって最も凸状となっている、請求項４ないし１１のいずれか一項に記載の構造。
【請求項１３】
前記隆起部の輪郭の縦半部では、当該輪郭の一方の横半部にある長辺側山部と、当該輪郭の他方の横半部にある長辺側山部とが、長辺側山間部でつながれており、  前記長辺側山間部は、これら長辺側山部よりも小さい突出量で前記長辺の中心に向かって凸状となっている、請求項１２に記載の構造。
【請求項１４】
前記隆起部の外側の領域には、  前記横リブの両端を少なくとも前記短辺及び前記長辺の一方につなぐように延びる第１の外リブと、  前記縦リブの両端を前記長辺につなぐように延びる第２の外リブと、が形成されている、請求項４ないし１３のいずれか一項に記載の構造。
【請求項１５】
前記横リブ及び前記縦リブは、前記隆起部の下面に形成され、  前記第１の外リブ及び第２の外リブは、前記板状部分の上面に形成されている、請求項１４に記載の構造。
【請求項１６】
前記横リブ及び前記縦リブは、前記隆起部の上面に形成され、  前記第１の外リブ及び前記第２の外リブは、前記板状部分の上面に形成されている、請求項１４に記載の構造。
【請求項１７】
前記隆起部の内側の領域には、  前記横リブ同士をつなぐ複数の第１の中間リブと、  前記縦リブ同士をつなぐ複数の第２の中間リブと、  前記横リブと前記縦リブとをつなぐ複数の第３の中間リブと、が形成されている、請求項４ないし１６のいずれか一項に記載の構造。
【請求項１８】
前記隆起部の内側の領域には、  前記横リブ及び前記縦リブから外れた位置にて、当該隆起部の輪郭をつなぐように延びる第４の中間リブが形成されている、請求項１７に記載の構造。
【請求項１９】
前記隆起部の外側の領域には、前記短辺と前記長辺とをつなぐように延びるコーナーリブが形成されている、請求項４ないし１８のいずれか一項に記載の構造。
【請求項２０】
前記隆起部の外側の領域には、さらに、前記コーナーリブと前記コーナー側谷部とをつなぐように延びるブリッジリブが形成されている、請求項１９に記載の構造。
【請求項２１】
前記板状部分の厚みは１〜５ｍｍである、請求項１ないし２０のいずれか一項に記載の構造。
【請求項２２】
前記横リブ又は前記縦リブの高さは１〜５ｍｍであって、厚みが１〜５ｍｍである、請求項１ないし２１のいずれか一項に記載の構造。
【請求項２３】
短辺が縦方向に延在し且つ長辺が横方向に延在する樹脂製の略長方形の板状部分の強度を向上する構造であって、  前記板状部分の上面は、前記略長方形の輪郭よりも内側の領域で、上方に盛り上がるように形成された隆起部を有し、  前記隆起部の輪郭は、縦の中心線及び横の中心線に対して線対称になっていて、  前記隆起部の輪郭の横半部では、  前記短辺の中心に向かって凸状となっている短辺側山部と、  前記短辺側山部の各端につながり、前記短辺と前記長辺とが交わるコーナー部に向かって凹状となっているコーナー側谷部と、  前記各コーナー側谷部につながり、前記長辺に向かって凸状となっている長辺側山部と、が形成されており、  前記隆起部の上面及び下面の一方には、少なくとも、  前記横の中心線に対して線対称に配置され、且つ、前記短辺に向かうにつれて拡開するように当該隆起部を横断する一対の横リブと、  前記縦の中心線に対して線対称に配置され、且つ、前記長辺に向かうにつれて拡開するように当該隆起部を縦断する一対の縦リブと、が形成されており、  前記横リブと前記縦リブとは、互いに交差している、構造。
【請求項２４】
請求項４ないし２０のいずれか一項又は請求項２３に記載の構造を備え、下方が開口した略直方体形状の部材であって、  前記板状部分と、  前記板状部分の周縁から下方に延びた周壁部と、を有する、略直方体形状の部材。
【請求項２５】
当該略直方体形状の部材は、オイルパンの少なくとも一部を構成するものであり、  前記樹脂は、ガラス繊維強化ポリアミド６６又はポリアミド６である、請求項２４に記載の略直方体形状の部材。
【請求項２６】
当該略直方体形状の部材は、太陽光発電モジュール用ジャンクションボックスの少なくとも一部を構成するものであり、  前記樹脂は、変性ＰＰＥである、請求項２４に記載の略直方体形状の部材。
【発明の詳細な説明】
【技術分野】
【０００１】  本発明は、短辺が縦方向に延在し且つ長辺が横方向に延在する略長方形の板状部分に代表される略多（４以上）角形の板状部分の強度を向上する構造に関するものである。
【背景技術】
【０００２】  従来、太陽光発電モジュールのジャンクションボックスは、アッパーケースとロアケースとから構成され、この中に電子回路が収納されている。この種のアッパーケースは、一般に、下方が開口した略直方体形状の部材で構成されるか、あるいは、単に略長方形の板状部材で構成されている（例えば、特許文献１，２参照。）。  また、ジャンクションボックスに限らず、例えば、エンジンのオイルパンや、洗濯機の防水設置パンなど、他の産業部品についても、上方又は下方が開口した略直方体形状の部材が用いられている。【０００３】  このような略直方体形状の部材は、対象とする産業部品に応じて、一定程度の強度が求められる。例えば、ジャンクションボックスでは、屋外に設置されることがあるため、略長方形の板状部分が、外側からの荷重（例えば雹などの飛来物の衝突荷重）に対する強度を有することが求められる。このような強度を確保するために、従来では、板状部分の肉厚を厚くしたり、板状部分の材質を工夫したりすることが行われている。
【先行技術文献】
【特許文献】
【０００４】
【特許文献１】特開２００７−２８８９３０号公報
【特許文献２】特開２０１０−１２３９３３号公報
【発明の概要】
【発明が解決しようとする課題】
【０００５】  しかし、板状部分の材質を工夫する方法では、材料コストが高くなる可能性がある。一方、板状部分の肉厚を厚くする方法では、省スペース化のニーズに応えることができない上、材料を多く使用してしまう。例えば、軽量化を重視して従来の金属部品を樹脂部品に置き換えようとした場合、金属部品と同じ強度を保つために樹脂部品の肉厚を厚くすると、樹脂材料を多く使用してしまい、場合によっては十分な軽量化を図ることもできない。省資源化の観点によれば、できるだけ少ない樹脂材料で板状部分に強度をもたせ、しかも、その強度が材質の違いによって大きく影響を受けないことが望ましい。【０００６】  本発明は、以上の背景に鑑みてなされたものであり、その目的は、樹脂製の略多（４以上）角形の板状部分について機械的に且つ効果的に強度を高めることができる構造及び略直方体形状の部材を提供することである。
【課題を解決するための手段】
【０００７】  本発明者がＦＥＭ解析により検討した結果、樹脂製の板状部分の上面に、ある輪郭とあるリブ構成とを組み合わせた隆起部を形成することで、上記課題を解決し得ることを見出し、本発明を完成させるに至った。【０００８】  すなわち、本発明の第１の構造は、樹脂製の略多（４以上）角形の板状部分の強度を向上する構造であって、前記多角形は、互いに略直交する第１の対称軸及び第２の対称軸を有し、前記板状部分の上面は、前記多角形の輪郭よりも内側の領域で、上方に盛り上がるように形成された隆起部を有する。前記隆起部の輪郭は、前記第１の対称軸及び前記第２の対称軸に対して線対称になっている。前記隆起部の輪郭の横半部では、前記第１の対称軸の方向において前記多角形の輪郭に向かって凸状となっている短辺側山部と、前記短辺側山部の各端につながり、前記第１の対称軸と前記第２の対称軸とに挟まれた領域で前記多角形の輪郭に向かって凹状となっているコーナー側谷部と、前記各コーナー側谷部の前記短辺側山部の反対側の端につながり、前記多角形の輪郭に向かって凸状となっている長辺側山部と、が形成されている。前記隆起部の上面及び下面の一方には、少なくとも、前記多角形の輪郭に向かうにつれて拡開するように当該隆起部を横断する一対の横リブ、又は、前記多角形の輪郭に向かうにつれて拡開するように当該隆起部を縦断する一対の縦リブが形成されている。【０００９】  本発明によれば、板状部分の上面に形状が変化した部位（隆起部）が形成されているため、そのような部位が存在しないものと比べて、板状部分の上面の面強度が全体として向上する。とりわけ、隆起部の輪郭について、上述の山部と谷部とを組み合わせ、その配置を板状部分の輪郭を踏まえた線対称としているため、上面全体への圧力（面荷重）に対する衝撃強度を効果的に向上することができる。  また、隆起部の上面又は下面については、リブ構成によって衝撃強度を向上することができる。  以上のような樹脂製の板状部分のデザインの工夫、すなわち隆起部の具体的な輪郭及び具体的なリブ構成の組合せによって、板状部分の強度を機械的に且つ相乗的に向上することができるため、できるだけ少ない樹脂材料を用いた場合にも、点荷重及び面荷重に耐え得る衝撃強度を確保するのに有用な板状部分を提供することができる。【００１０】  好ましくは、当該構造は、前記横リブ及び前記縦リブを有し、前記横リブが少なくとも前記隆起部の上面及び下面の一方にあり、前記縦リブが少なくとも前記隆起部の上面及び下面の一方にあるとよい。この場合、前記横リブと前記縦リブとは、互いに交差していることが好ましい。こうすることで、隆起部への点荷重に対する衝撃強度を効果的に向上することができる。【００１１】  本発明の好ましい一態様によれば、前記多角形は、短辺が前記第２の対称軸と平行に延在し且つ長辺が前記第１の対称軸と平行に延在する長方形であるとよい。この場合、前記短辺側山部は、前記短辺の中心に向かって凸状となっていることが好ましい。また、前記コーナー側谷部は、前記短辺と前記長辺とが交わるコーナー部に向かって凹状となっていることが好ましい。さらに、前記長辺側山部は、前記長辺に向かって凸状となっていることが好ましい���また、前記一対の横リブは、前記第１の対称軸に対して線対称に配置されていることが好ましく、さらには、前記短辺に向かうにつれて拡開するように前記隆起部を横断することが好ましい。同様に、前記一対の縦リブは、前記第２の対称軸に対して線対称に配置されていることが好ましく、さらには、前記長辺に向かうにつれて拡開するように前記隆起部を縦断することが好ましい。【００１２】  また、本発明の第２の構造は、短辺が縦方向に延在し且つ長辺が横方向に延在する樹脂製の略長方形の板状部分の強度を向上する構造であり、前記板状部分の上面は、前記略長方形の輪郭よりも内側の領域で、上方に盛り上がるように形成された隆起部を有し、前記隆起部の輪郭は、縦の中心線及び横の中心線に対して線対称になっていて、前記隆起部の輪郭の横半部では、前記短辺の中心に向かって凸状となっている短辺側山部と、前記短辺側山部の各端につながり、前記短辺と前記長辺とが交わるコーナー部に向かって凹状となっているコーナー側谷部と、前記各コーナー側谷部につながり、前記長辺に向かって凸状となっている長辺側山部と、が形成されている。前記隆起部の上面及び下面の一方には、少なくとも、前記横の中心線に対して線対称に配置され、且つ、前記短辺に向かうにつれて拡開するように当該隆起部を横断する一対の横リブと、前記縦の中心線に対して線対称に配置され、且つ、前記長辺に向かうにつれて拡開するように当該隆起部を縦断する一対の縦リブと、が形成されており、前記横リブと前記縦リブとは、互いに交差している。【００１３】  本発明によれば、板状部分の上面に形状が変化した部位（隆起部）が形成されているため、そのような部位が存在しないものと比べて、板状部分の上面の面強度が全体として向上する。とりわけ、隆起部の輪郭について、上述の山部と谷部とを組み合わせ、その配置を板状部分の輪郭（短辺、長辺、コーナー部）を踏まえた線対称としているため、上面全体への圧力（面荷重）に対する衝撃強度を効果的に向上することができる。  また、隆起部の上面又は下面については、リブ構成によって強度を向上することができる。とりわけ、横リブ及び縦リブについて、上述の湾曲（拡開）する態様で線対称とし、隆起部を横断及び縦断する態様で互いに交差させているため、隆起部への点荷重に対する衝撃強度を効果的に向上することができる。  以上のような樹脂製の板状部分のデザインの工夫、すなわち隆起部の具体的な輪郭及び具体的なリブ構成の組合せによって、板状部分の強度を機械的に且つ相乗的に向上することができるため、できるだけ少ない樹脂材料を用いた場合にも、点荷重及び面荷重に耐え得る衝撃強度を確保するのに有用な板状部分を提供することができる。【００１４】  上記の本発明の第２の構造の場合、及び、本発明の第１の構造において前記多角形が略長方形である場合、以下の態様をとることが好ましい。【００１５】  すなわち、好ましくは、前記長辺側山部は、前記長辺の長さの約１/３の長さだけ前記短辺から離れた位置で前記長辺に向かって最も凸状となっているとよい。また、より好ましくは、前記隆起部の輪郭の縦半部では、当該輪郭の一方の横半部にある長辺側山部と、当該輪郭の他方の横半部にある長辺側山部とが、長辺側山間部でつながれており、前記長辺側山間部は、これら長辺側山部よりも小さい突出量で前記長辺の中心に向かって凸状となっているとよい。【００１６】  このような構成によれば、より一層、効果的に衝撃強度を向上することができる。【００１７】  好ましくは、前記隆起部の外側の領域には、前記横リブの両端を少なくとも前記短辺及び前記長辺の一方につなぐように延びる第１の外リブと、前記縦リブの両端を前記長辺につなぐように延びる第２の外リブと、が形成されているとよい。【００１８】  この構成によれば、隆起部にある縦リブ及び横リブが、隆起部の外にあるリブにつながっているため、リブ構成による補強効果を高めることができる。例えば、隆起部に荷重がかかった場合に、その荷重をリブ構成を伝播させて隆起部の外に逃がすことができるため、隆起部の変形が抑制される。【００１９】  一つのより好ましい態様によれば、前記横リブ及び前記縦リブは、前記隆起部の下面に形成され、前記第１の外リブ及び第２の外リブは、前記板状部分の上面に形成されているとよい。【００２０】  この構成によれば、隆起部の上面に面構成を広く確保することができる。これにより、隆起部の上面を面構成として活用したい場合、例えば上面に製造メーカ・製品名などの所定の表示を付したい場合に有用となる。具体例を挙げると、板状部分を太陽光発電モジュール用ジャンクションボックスの蓋部に使用するのに有用である。【００２１】  別のより好ましい態様によれば、前記横リブ及び前記縦リブは、前記隆起部の上面に形成され、前記第１の外リブ及び前記第２の外リブは、前記板状部分の上面に形成されているとよい。【００２２】  この構成によれば、板状部分の下面に面構成を広く確保することができる。これにより、板状部分の下面を面構成として活用したい場合、例えば下面のリブ間に液体などを溜め続けたくない場合に有用となる。具体例を挙げると、板状部分をオイルパンの底部に使用するのに有用である。【００２３】  また、好ましくは、前記隆起部の内側の領域には、前記横リブ同士をつなぐ複数の第１の中間リブと、前記縦リブ同士をつなぐ複数の第２の中間リブと、前記横リブと前記縦リブとをつなぐ複数の第３の中間リブと、が形成されているとよい。【００２４】  この構成によれば、隆起部の内側の領域ではリブ構成が張り巡らされるようになるため、横リブ及び縦リブによる隆起部の補強効果を、より一層高めることができる。【００２５】  より好ましくは、前記隆起部の内側の領域には、前記横リブ及び前記縦リブから外れた位置にて、当該隆起部の輪郭をつなぐように延びる第４の中間リブが形成されているとよい。【００２６】  この構成によれば、横リブ及び縦リブによる補強効果が十分に及ばないような隆起部の部位についても、補強することができる。【００２７】  また、好ましくは、前記隆起部の外側の領域には、前記短辺と前記長辺とをつなぐように延びるコーナーリブが形成されているとよい。【００２８】  この構成によれば、板状部分のコーナー部についても、補強することができる。なお、コーナーリブは、上記の第１の外リブの少なくとも一部を含んでもよい。【００２９】  より好ましくは、前記隆起部の外側の領域には、さ��に、前記コーナーリブと前記コーナー側谷部とをつなぐように延びるブリッジリブが形成されているとよい。【００３０】  この構成によれば、上述の縦リブと第１の外リブとの関係のように、補強効果を高めることができる。例えば、隆起部及びコーナー部の一方に荷重がかかった場合、その荷重をリブ構成を伝播させて隆起部及びコーナー部の他方に逃がすことができるため、これらの変形が抑制される。なお、ブリッジリブは、上記の第１の外リブの少なくとも一部を含んでもよい。【００３１】  本発明の略直方体形状の部材は、本発明の上記した構造（略長方形の板状部分に関する構造）を備え、下方が開口した略直方体形状の部材であって、前記板状部分と、前記板状部分の周縁から下方に延びた周壁部と、を有するものである。【００３２】  本発明によれば、樹脂製の板状部分の衝撃強度が機械的に且つ効果的に高められた略直方体形状の部材を提供することができる。【００３３】  ここで、略直方体形状の部材としては、ジャンクションボックス、エンジンのオイルパン、洗濯機の防水設置パンなど、各種の産業部品を挙げることができ、この例示に限定されるものではない。また、略直方体形状の部材の少なくとも一部を成形するのに用いる樹脂材料としては、各種のものを利用可能であり、好ましくは、略直方体形状の部材の用途に応じたものを用いるとよい。【００３４】  例えば、当該略直方体形状の部材がオイルパンの少なくとも一部を構成するものである場合には、前記樹脂はガラス繊維強化ポリアミド６６又はポリアミド６であることが好ましい。こうすることで、オイルパンという部品の用途に適した効果（耐衝撃性、耐熱性、クリープ性、高剛性及び振動疲労性）を奏することができる。【００３５】  また、当該略直方体形状の部材が太陽光発電モジュール用ジャンクションボックスの少なくとも一部を構成するものである場合には、前記樹脂は変性ＰＰＥであることが好ましい。こうすることで、ジャンクションボックスという部品の用途に適した効果（耐加水分解性、難燃性、寸法精度及び電気特性の観点で有利である。）を奏することができる。
【図面の簡単な説明】
【００３６】
【図１】第１実施形態に係る太陽光発電モジュール用ジャンクションボックスを示す斜視図である。
【図２】（Ａ）は図１のジャンクションボックスの蓋の上面側を示す斜視図であり、（Ｂ）は図１のジャンクションボックスの蓋の下面側を示す斜視図である。
【図３】（Ａ）は図１のジャンクションボックスの蓋の上面側を示す平面図であり、（Ｂ）は図１のジャンクションボックスの蓋の下面側を示す底面図である。
【図４】比較例に係るベース形状の解析モデルを示す図である。
【図５】比較例に係る格子形状の解析モデルを示す図である。
【図６】第１実施形態に係る板状部分の解析モデルを示す図であり、（Ａ）は蓋の上面側を示す斜視図であり、（Ｂ）は蓋の下面側を示す斜視図である。
【図７】解析条件を示す図であり、（Ａ）は点荷重を入力する場合を示す図であり、（Ｂ）は面荷重を入力する場合を示す図である。
【図８】解析結果を示すグラフである。
【図９】（Ａ）は変形例に係るジャンクションボックスの蓋の上面側を示す斜視図であり、（Ｂ）は変形例に係るジャンクションボックスの蓋の下面側を示す斜視図である。
【図１０】（Ａ）は第２実施形態に係るオイルパンの底面側を示す斜視図であり、（Ｂ）該オイルパンの正面図である。
【図１１】（Ａ）図１０のオイルパンの平面図であり、（Ｂ）図１０のオイルパンの底面図である。
【発明を実施するための形態】
【００３７】  添付図面を参照して、本発明の好適な実施形態について説明する。以下の説明で使用する上、下などの位置に関する用語は、隆起部を上側にして板状部分を設置面に置いたときを基準としたものである。
【００３８】＜第１実施形態＞  まず、図１〜３を参照して、略長方形の板状部分の強度を向上する構造を適用した太陽光発電モジュール用ジャンクションボックスの蓋について説明する。
【００３９】  図１に示すように、太陽光発電モジュールのジャンクションボックス１は、ロアケースであるジャンクションボックス本体２と、アッパーケースである蓋３と、を備える。ジャンクションボックス本体２は、上面が開口した箱型形状を有しており、この中に電子回路が収納される。ジャンクションボックス本体２には、太陽光発電モジュールのケーブル及び外部接続ケーブルとの接続部が設けられており、太陽光発電モジュールにおいて発生した電力が外部機器等に配電されるようになっている。蓋３は、ジャンクションボックス本体２の開口を覆うものであり、当該開口を覆う部位として、略長方形の板状部分４を備える。また、蓋３は、板状部分４の周縁から下方に延びた周壁部５を備える。すなわち、蓋３は、下方が開口した略直方体形状の部材として構成されている。周壁部５の前後左右の各位置には、蓋３をジャンクションボックス本体２に固定するための固定部６が設けられている。
【００４０】  ここで、本実施形態の蓋３は、略長方形の板状部分４を有する限り、その構造は特に限定されない。例えば、蓋３は、図１に示すような略直方体形状の部材ではなく、略長方形の板状の部材であってもよい。また、「略長方形」とは、四辺が２つの短辺及び２つの長辺によって構成されているものであれば足り、短辺と長辺とが交わるコーナー部が９０度に限る趣旨ではないし、また、短辺又は長辺の一部が直線に限る趣旨でもない。
【００４１】  蓋３の材料としては、樹脂が用いられている。樹脂の中でも、耐加水分解性、難燃性、寸法精度及び電気特性の観点からすれば、変性ＰＰＥ（ポリフェニルエーテル）を用いることが好ましい。
【００４２】  図２及び３に示すように、板状部分４は、短辺１０Ａ，１０Ｂが縦方向に延在し且つ長辺１１Ａ，１１Ｂが横方向に延在する略長方形を呈している。板状部分４の上面１２には、板状部分４の略長方形の輪郭よりも内側の領域に、上方に盛り上がるように形成された隆起部１３が形成されている。隆起部１３は、板状部分４の下面１４側から見ると（参照：図２（Ｂ））、下面１４に凹部の態様としてあらわれる。隆起部１３は、板状部分４の中央部を中心に板状部分４の大部分に形成されており、板状部分４に占める割合は約５０％となっている。
【００４３】  隆起部１３の輪郭及びリブ構成は、縦の中心線（第２の対称軸）及び横の中心線（第１の対称軸）に対して線対称になっている。なお、縦の中心線とは、長辺１１Ａ，１１Ｂの垂直二等分線である。横の中心線とは、短辺１０Ａ，１０Ｂの垂直二等分線である。
【００４４】  まず、隆起部１３の輪郭について説明する。
【００４５】  隆起部１３の輪郭の左半部（横半部）では、短辺１０Ａの中心に向かって凸状となっている短辺側山部２１Ａと、短辺側山部２１Ａの各端につながって短辺１０Ａと長辺１１Ａ，１１Ｂとが交わるコーナー部１５Ａ，１５Ｂに向かって凹状となっているコーナー側谷部２２Ａ，２２Ｂと、各コーナー側谷部２２Ａ，２２Ｂにつながり、長辺１１Ａ，１１Ｂに向かって凸状となっている長辺側山部２３Ａ，２３Ｂと、が形成されている。短辺側山部２１Ａは、全体として略半円形の輪郭を有し、山頂部が横の中心線上に位置している。長辺側山部２３Ａ，２３Ｂは、それぞれ、長辺１１Ａ，１１Ｂの長さの約１/３の長さだけ短辺１０Ａから離れた位置で長辺１１Ａ，１１Ｂに向かって最も凸状となっており、縦の中心線よりも左側に位置している。なお、隆起部１３の輪郭の右半部も同様の構成となっているが、ここでは符号Ａ，Ｂに代えてＣ，Ｄを付して説明を省略する。
【００４６】  隆起部１３の輪郭の上半部（縦半部）では、長辺側山部２３Ａと長辺側山部２３Ｃとが長辺側山間部２４Ａでつながれている。長辺側山間部２４Ａは、長辺側山部２３Ａ、２３Ｃよりも小さい突出量で長辺１１Ａの中心に向かって凸状となっており、山頂部が縦の中心線上に位置している。なお、隆起部１３の輪郭の下半部では、同様に、長辺側山間部２４Ｂによって長辺側山部２３Ｂと長辺側山部２３Ｄとがつながれている。
【００４７】  次に、隆起部１３のリブ構成について説明する。
【００４８】  隆起部１３のリブ構成は、隆起部１３の輪郭よりも内側の領域にあるリブ構成（３１Ａ，３１Ｂ，３２Ａ，３２Ｂ，４１〜４５）と、隆起部１３の輪郭よりも外側の領域にあるリブ構成（５１〜５７）と、に大別することができる。以下、順番に説明する。
【００４９】  内側のリブ構成（３１Ａ，３１Ｂ，３２Ａ，３２Ｂ，４１〜４５）は、板状部分４の下面１４よりも一段下がった隆起部１３の下面１３ａに形成されている。この内側のリブ構成（３１Ａ，３１Ｂ，３２Ａ，３２Ｂ，４１〜４５）のうち、一対の横リブ３１Ａ，３１Ｂ及び一対の縦リブ３２Ａ，３２Ｂが、隆起部１３への点荷重に対する衝撃強度を効果的に向上するようになっている。横リブ３１Ａ，３１Ｂと縦リブ３２Ａ，３２Ｂとは、隆起部１３の中央部にて互いに交差している。
【００５０】  以下の説明では、内側のリブ構成（３１Ａ，３１Ｂ，３２Ａ，３２Ｂ，４１〜４５）のうち、横リブ３１Ａ，３１Ｂ及び縦リブ３２Ａ，３２Ｂを「基本リブ」と称し、その他のリブ４１〜４５を「補足リブ」と称する場合がある。なお、図３（Ｂ）では、複数のリブの視認性を確保するために、基本リブである横リブ３１Ａ，３１Ｂ及び縦リブ３２Ａ，３２Ｂをグレーで色付けしている。
【００５１】  横リブ３１Ａ，３１Ｂは、横の中心線に対して線対称に配置され、且つ、短辺１０Ａ，１０Ｂに向かうにつれて拡開するように隆起部１３を横断している。換言すると、横リブ３１Ａ，３１Ｂは、底面視、全体として略鼓状に湾曲して延在しており、横リブ３１Ａの両端はコーナー側谷部２２Ａ，２２Ｃに至り、横リブ３１Ｂの両端はコーナー側谷部２２Ｂ，２２Ｄに至っている。
【００５２】  縦リブ３２Ａ，３２Ｂは、縦の中心線に対して線対称に配置され、且つ、長辺１１Ａ，１１Ｂに向かうにつれて拡開するように隆起部１３を縦断している。換言すると、縦リブ３２Ａ，３２Ｂは、底面視、全体として略鼓状に湾曲して延在しており、縦リブ３２Ａ、３２Ｂの両端は、いずれも、長辺側山間部２４Ａ、２４Ｂに至っている。
【００５３】  中間リブ４１は、横リブ３１Ａ，３１Ｂ同士を２箇所でつなぐべく、縦リブ３２Ａ，３２Ｂよりも外側の位置に２つ形成されている。中間リブ４２は、縦リブ３２Ａ，３２Ｂ同士を２箇所でつなぐべく、横リブ３１Ａ，３１Ｂよりも外側の位置に２つ形成されている。中間リブ４３は、横リブ３１Ａと縦リブ３２Ａ，３２Ｂとをつなぐ２つのリブと、横リブ３１Ｂと縦リブ３２Ａ，３２Ｂとをつなぐ２つのリブと、の計４つのリブからなる。中間リブ４１，４２，４３は、互いにつながっており、全体として８角形の輪郭を構成する。また、中間リブ４４は、短辺側山部２１Ａの両端の裾部をつなぐように延びるリブと、短辺側山部２１Ｃの両端の裾部をつなぐように延びるリブと、の計２つのリブからなり、いずれも、横リブ３１Ａ，３１Ｂ及び縦リブ３２Ａ，３２Ｂから外れた位置にて隆起部１３の輪郭をつなぐように延びている。なお、２つの中間リブ４４の中間部分は、互いに、横の中心線上に位置する直線リブ４５によってつながっており、この直線リブ４５は、中間リブ４１及び縦リブ３２Ａ，３２Ｂにもつながれている。
【００５４】  このように、隆起部１３の内側の領域では、基本リブ３１Ａ，３１Ｂ，３２Ａ，３２Ｂに加えて、補足リブ４１〜４５が張り巡らされている。特に、補足リブのうち、中間リブ４１〜４３及び直線リブ４５によって、横リブ３１Ａ、３１Ｂ及び縦リブ３２Ａ，３２Ｂによる隆起部１３の補強効果がより一層高められ、剛性が高められている。また、中間リブ４４によって、横リブ３１Ａ、３１Ｂ及び縦リブ３２Ａ，３２Ｂによる補強効果が十分に及ばないような隆起部１３の部位について補強され、剛性が高められている。
【００５５】  次に、隆起部１３の外側の領域におけるリブ構成（５１〜５７）について説明する。  この外側のリブ構成（５１〜５７）は、板状部分４の上面１２に形成され、縦の中心線及び横の中心線に対して線対称になっている。また、各リブ５１〜５７の高さは、隆起部１３の高さと同じとなっている。
【００５６】  コーナーリブ５１は、隆起部１３の外側の領域にて短辺１０Ａと長辺１１Ａとをつなぐように、コーナー部１５Ａに形成されている。コーナーリブ５１は、短辺１０から右方向に延びる部分リブ５１ａと、長辺１１Ａから下方向に延びる部分リブ５１ｂと、部分リブ５１ａと部分リブ５１ｂとをつなぐ傾斜した部分リブ５１ｃと、からなる。
【００５７】  ブリッジリブ５２、５３は、コーナーリブ５１とコーナー側谷部２２Ａとをつなぐように延びている。ブリッジリブ５２は、コーナー側谷部２２Ａにおいて、隆起部１３の下面１３ａにおける中間リブ４４につながれるように、コーナーリブ５１の屈曲点（部分リブ５１ａと部分リブ５１ｃとの交差点）からコーナー側谷部２２Ａに向かって延びている。ブリッジリブ５３は、コーナー側谷部２２Ａにおいて、隆起部１３の下面１３ａにおける横リブ３１Ｂにつながれるように、コーナーリブ５１の屈曲点（部分リブ５１ｂと部分リブ５１ｃとの交差点）からコーナー側谷部２２Ａに向かって延びている。なお、詳述しないが、コーナー部１５Ｂ、１５Ｃ，１５Ｄまわりについても、同様に、コーナーリブ５１及びブリッジリブ５２、５３が形成されている。
【００５８】  ここで、横リブ３１Ａに着目すると、横リブ３１Ａの両端は、コーナーリブ５１及びブリッジリブ５３によって短辺１０Ａ、１０Ｂ及び長辺１１Ａにつながれていることになる。この点、横リブ３１Ｂも同様である。したがって、請求の範囲における「第１の外リブ」は、本実施形態においては、コーナーリブ５１及びブリッジリブ５３によって形成されていることが把握される。
【００５９】  第２の外リブ５４、５５は、縦リブ３２Ａの両端を長辺１１Ａ，１１Ｂにつなぐように延びる。また、第２の外リブ５６，５７は、縦リブ３２Ｂの両端を長辺１１Ａ，１１Ｂにつなぐように延びる。
【００６０】  このように、隆起部１３の外側の領域では、リブ構成（５１〜５７）が張り巡らされている。特に、隆起部１３、横リブ３１Ａ，３１Ｂ及び縦リブ３２Ａ，３２Ｂが存在しない板状部分４のコーナー部１５Ａ〜１５Ｄについて、コーナーリブ５１で補強することができる。また、隆起部１３にかかる荷重を第１の外リブ（コーナーリブ５１及びブリッジリブ５３）及び第２の外リブ５４〜５７を介して隆起部１３の外に逃がすことができるため、横リブ３１Ａ，３１Ｂ及び縦リブ３２Ａ，３２Ｂよる補強効果が高まり、隆起部１３の変形が抑制される。同様に、コーナー部１５Ａ〜１５Ｄまわりに単荷重がかかった場合にも、その荷重をブリッジリブ５２，５３を伝播させて隆起部１３に逃がすことができるため、コーナー部１５Ａ〜１５Ｄまわりの変形が抑制される。
【００６１】  続いて、図４〜８を参照して、板状部分４のＦＥＭ解析について説明する。
【００６２】  本実施形態との比較のため、図４及び５には、それぞれ、比較例に係るベース形状６０及び格子形状７０の解析モデルを示す。ベース形状６０は、下方が開口した略直方体形状の部材であり、板状部分６１及び周壁部６２の厚みは全て２ｍｍである。ただし、この寸法に限定されるものではなく、好ましい厚みは１〜５ｍｍである。また、板状部分６１の幅は１００ｍｍで奥行きが６６ｍｍで、周壁部６２の高さは１６ｍｍである。格子形状７０は、ベース形状６０の板状部分６１の上面に複数のリブ７１を格子状に形成したものである。リブ７１の厚みは全て２ｍｍである。また、リブ７１の高さは５ｍｍであり、リブ７１の横方向におけるピッチは２０ｍｍで、縦方向におけるピッチは１３．２ｍｍである。
【００６３】  図６は、本実施形態に係る板状部分４を有する蓋３の解析モデルを示す。この解析モデルは、図４のベース形状６０に、上述の隆起部１３及び各種のリブ構成（３１Ａ，３１Ｂ、３２Ａ，３２Ｂ、４１〜４５、５１〜５７）を形成したものである。ただし、第２の外リブ５４〜５７のみ、その位置が図１〜４におけるものとは異なっている。各リブの厚みは全て２ｍｍであり、また、各リブの高さは５ｍｍである。なお、これらの寸法に限定されるものではなく、好ましい厚みは１〜５ｍｍであって、各リブの高さは１〜５ｍｍである。長辺側山部２３Ａの山頂部は、短辺１０Ａから３４ｍｍだけ離れた位置にあり、長辺側山間部２４Ａの長さは１９ｍｍとなっている。
【００６４】  図７に示すように、板状部分に対し、点荷重を入力した場合（図７Ａ）と、面荷重を入力した場合（図７Ｂ）について、床を完全に拘束した状態でＦＥＭ解析した。点荷重では、板状部分の中央部にφ１０の範囲に荷重Ｆ＝２００Ｎを入力した。面荷重では、板状部分の上面全体に圧力Ｐ＝０．３ＭＰａを入力した。なお、図７では、便宜上、ベース形状６０を示すが、格子形状７０及び本実施形態の蓋３についても同様の条件でＦＥＭ解析をした。また、ＦＥＭ解析では、ベース形状６０、格子形状７０及び本実施形態の蓋３の材料として、旭化成が製造販売するレオナ１４Ｇ３３（弾性率：６３００ＭＰａ。ポアソン比：０．３４。）を用いた。
【００６５】  図８は、ＦＥＭ解析結果を示すグラフである。図８に示すように、まず、点荷重入力した場合の最大主応力及び最大変位量については、本実施形態の蓋３が最も小さい。これは、本実施形態の蓋３が、ベース形状６０及び格子形状７０よりも、点荷重入力に対する衝撃強度（剛性）が向上されていることを示している。次に、面荷重入力した場合の最大主応力及び最大変位量についても、本実施形態の蓋３が最も小さい。これは、本実施形態の蓋３が、ベース形状６０及び格子形状７０よりも、面荷重入力に対する衝撃強度（剛性）が向上されていることを示している。このように、ＦＥＭ解析結果によれば、点荷重入力及び面荷重入力に対して、本実施形態の蓋３が衝撃強度上、良いことがわかる。
【００６６】  詳述しないが、本発明者らは、上記３つの解析モデルのほか、様々な解析モデルについて同様のＦＥＭ解析を行い、検討した。その結果、本実施形態の如く、板状部分４の上面に、少なくとも、上述の輪郭と基本リブ（横リブ３１Ａ，３１Ｂ及び縦リブ３２Ａ，３２Ｂ）とを組み合わせた隆起部１３を形成することが、樹脂製の板状部分を機械的に且つ効果的に衝撃強度を高める上で有効であることが確認された。
【００６７】  この確認結果を分析すると、以下のとおりである。まず、板状部分４の上面１２に形状が変化した部位である隆起部１３が形成されているため、そのような部位が存在しないベース形状６０及び格子形状７０と比べて、板状部分４の上面１２の面強度が全体として向上したと分析される。また、隆起部１３の輪郭について、上述の山部と谷部とを組み合わせ、その配置を板状部分４の輪郭を踏まえた線対称としているため、上面１２全体への圧力（面荷重）に対する衝撃強度が効果的に向上したと分析される。さらに、隆起部１３における横リブ３１Ａ，３１Ｂ及び縦リブ３２Ａ，３２Ｂについて、上述の拡開した態様で線対称とし、隆起部１３を横断及び縦断する態様で互いに交差させているため、隆起部１３への点荷重に対する衝撃強度が効果的に向上したと分析される。
【００６８】  したがって、本実施形態の板状部分４及びこれを有する蓋３によれば、隆起部１３の具体的な輪郭及び基本リブの組合せによって、樹脂製の板状部分４の強度を機械的に且つ相乗的に向上することができる。よって、板状部分４及び蓋３にできるだけ少ない樹脂材料を用いた場合にも、点荷重及び面荷重に耐え得る衝撃強度を確保するのに有用な板状部分４及び蓋３を提供することができる。
【００６９】  以上、具体例を参照しつつ本発明の実施形態について説明した。以上の具体例は、本発明を説明するための例示であり、本発明をその実施形態のみに限定する趣旨ではない。すなわち、これら具体例に、当業者が適宜設計変更を加えたものも、本発明の特徴を備えている限り、本発明の範囲に包含される。例えば、前述した各具体例が備える各要素およびその配置、材料、形状、サイズ、個数などは、例示したものに限定されるわけではなく適宜変更することができる。
【００７０】  例えば、図９に示すように、板状部分４の長辺１１Ａの中央部が内側に湾曲している場合であっても、上述した隆起部１３の輪郭及び基本リブの組合せを含む各種の態様を適用することができる。
【００７１】  また、他の実施態様では、隆起部１３の内側の領域におけるリブ構成（３１Ａ，３１Ｂ，３２Ａ，３２Ｂ，４１〜４５）を隆起部１３の上面に形成してもよい。ただし、隆起部１３の上面に面構成を広く確保するという観点では、隆起部１３の下面１３ａに各リブ３１Ａ，３１Ｂ，３２Ａ，３２Ｂ，４１〜４５を形成することが望ましい。隆起部１３の上面に広い面構成が確保された場合には、この上面に例えば製造メーカ・製品名などの所定の表示を印刷したり、形成したりすることが可能となる。
【００７２】  同様に、他の実施態様では、隆起部１３の外側の領域におけるリブ構成（リブ５１〜５７）を板状部分４の下面１４に形成してもよい。
【００７３】  また、板状部分４の各リブ（３１Ａ，３１Ｂ，３２Ａ，３２Ｂ，４１〜４５，５１〜５７）の少なくとも１つについては、上述した実施形態とは異なる面に設けてもよい。例えば、横リブ３１Ａを隆起部１３の下面１３ａに形成しつつ、横リブ３１Ｂを隆起部１３の下面１３ａに形成することも可能である。ただし、バランスなどを考慮すれば、対称に配置されるリブ同士（例えば、横リブ３１Ａ、３１Ｂ）については、同じ面に形成することが好ましい。
【００７４】＜第２実施形態＞  次に、図１０〜１１を参照して、本発明の略長方形の板状部分の強度を向上する構造を、オイルパンに適用した例について説明する。第１実施形態との主な相違点は、隆起部１３の内側の領域におけるリブ構成（３１Ａ，３１Ｂ，３２Ａ，３２Ｂ，４１〜４５）を隆起部１３の上面に形成したことと、板状部分４におけるリブの数を増やしたことである。以下では、第２実施形態のうち、第１実施形態の構成と共通する構成については、同一の符号を付して説明を省略し、第１実施形態との相違点を中心に説明する。
【００７５】  オイルパン９０は、例えば、自動車のエンジンの下部に設けられる。オイルパン９０は、第１実施形態の蓋３と同様に板状部分４及び周壁部５を有すると共に、板状部分４と反対側の周壁部５の端部から側方に突出したフランジ部９１を有しており、全体として、下方が開口した略直方体形状の部材として構成されている。オイルパン９０の材料としては、樹脂が用いられる。樹脂の中でも、耐衝撃性、耐熱性、クリープ性、高剛性及び振動疲労性の観点からすれば、ガラス繊維強化ポリアミド６６又はポリアミド６を用いることが好ましい。オイルパン９０の形状は、自動車側の部材によって制約を受けるものであるが、第１実施形態の蓋３と同様に、略長方形の板状部分４を有する限り、特に限定されるものではない。例えば、板状部分４の短辺１０Ａ，１０Ｂ及び長辺１１Ａ，１１Ｂの一部が窪んで直線的となっていないオイルパン９０の形状であってもよい。
【００７６】  隆起部１３の内側にあるリブ構成（３１Ａ，３１Ｂ，３２Ａ，３２Ｂ，４１〜４５）は、隆起部１３の上面１３Ｂに形成されており、そのいずれのリブも、同じ高さを有し、隆起部１３の外側にあるリブにつながれている。なお、図１１（Ｂ）では、複数のリブの視認性を確保するために、基本リブである横リブ３１Ａ，３１Ｂ及び縦リブ３２Ａ，３２Ｂをグレーで色付けしている。横リブ３１Ａ，３１Ｂの両端は、短辺側山部２１Ａ，２１Ｃに至った後、リブ（第１の外リブ）を介して短辺１０Ａ、１０Ｂ及び長辺１１Ａにつながれている。また、縦リブ３２Ａ、３２Ｂの両端は、長辺側山間部２４Ａ、２４Ｂに至った後、リブ５４〜５７を介して長辺１１Ａ、１１Ｂにつながれている。横リブ３１Ａ，３１Ｂ同士をつなぐ中間リブ４１は、計１４本あり、いくつかは横リブ３１Ａ，３１Ｂを超えて延在している。縦リブ３２Ａ，３２Ｂ同士をつなぐ中間リブ４２は、計８本あり、いくつかは縦リブ３２Ａ，３２Ｂを超えて延在している。横リブ３１Ａ又は横リブ３１Ｂと縦リブ３２Ａ，３２Ｂとを斜めにつなぐ中間リブ４３は、計４本ある。なお、上述の中間リブ４４は、ここでは配置されていないが、もちろん配置することが可能である。
【００７７】  したがって、本実施形態においても、樹脂製の板状部分４が隆起部１３の具体的な輪郭及び基本リブの組合せを有しているため、板状部分４の強度を機械的に且つ相乗的に向上することができる。よって、板状部分４及びオイルパン９０にできるだけ少ない樹脂材料を用いた場合にも、点荷重及び面荷重に耐え得る衝撃強度を確保するのに有用な板状部分４及びオイルパン９０を提供することができる。
【００７８】  とりわけ、仮に、オイルパン９０において、下面１４にリブ構成を形成する場合にはリブ間にオイルが溜め続けられることになるが、本実施形態によれば、リブ構成（３１Ａ，３１Ｂ，３２Ａ，３２Ｂ，４１〜４５、５１〜５７）を板状部分４の下面１４に形成していないため、そのような現象が生じない点で有用となる。他方、板状部分４の上面１２にリブ構成（３１Ａ，３１Ｂ，３２Ａ，３２Ｂ，４１〜４５、５１〜５７）を形成しているので、想定される飛び石よりもリブ間のピッチを小さくすることが容易となる。
【００７９】  なお、第１実施形態と同様に、第２実施形態についても、本発明を説明するための例示であり、本発明をその実施形態のみに限定する趣旨ではなく、適宜、本発明の範囲を逸脱しない限り、適宜設計変更することが可能である。
【００８０】＜他の実施形態＞  詳述しないが、本発明者らは、第１及び第２実施形態に係る構造の他、様々な解析モデルについて同様のＦＥＭ解析を行って検討した。その結果、以下に述べる態様であっても、板状部分について機械的に且つ効果的に強度を高めることができることが確認された。したがって、本発明は、以下の態様を採用することができるものである。
【００８１】  第１に、板状部分４は、５角形、６角形など、４以上の略多角形であって、且つ、互いに略直交する２つの対称軸を有する略多角形状の態様とすることができる。すなわち、板状部分４は、上記の略長方形のように、互いに略直交する第１の対称軸及び第２の対称軸を有する略多（４以上）角形であればよい。ここで、第１の対称軸は、第２の対称軸よりも長いものである。また、略多（４以上）角形とは、略長方形を含む概念である。
【００８２】  ここで、略長方形の板状部分４の場合については、隆起部１３の山部及び谷部を略長方形の長辺及び短辺との関係を踏まえて説明したが、略多角形の板状部分４の場合について、長辺又は短辺との関係を措いて説明すると、以下のとおりである。すなわち、短辺側山部２１Ａ，２１Ｃ（亀の頭状及び亀の尻状山部）は、第１の対称軸の方向において略多角形の輪郭に向かって凸状となっていれば足りる。同様に、長辺側山部２３Ａ〜２３Ｄは、略多角形の輪郭に向かって凸状となっていれば足りる。また、コーナー側谷部２２Ａ〜２２Ｄは、第１の対称軸と第２の対称軸とに挟まれた領域で略多角形の輪郭に向かって凹状となっていれば足りる。
【００８３】  第２に、上述の略多（４以上）角形の板状部分４においては、基本リブ（横リブ３１Ａ，３１Ｂ及び縦リブ３２Ａ，３２Ｂ）のうち、横リブ３１Ａ，３１Ｂ及び縦リブ３２Ａ，３２Ｂの一方を省略する態様とすることもできる。この場合、横リブ３１Ａ，３１Ｂを第１の対称軸に対して線対称に配置しないことも可能であるし、同様に、縦リブ３２Ａ，３２Ｂを第２の対称軸に対して線対称に配置しないことも可能である。ただし、横リブ３１Ａ，３１Ｂ又は縦リブ３２Ａ，３２Ｂは、略多角形の輪郭に向かうにつれて拡開するように隆起部を横断又は横断する必要がある。
【符号の説明】
【００８４】  １：ジャンクションボックス、  ３：蓋、  ４：板状部分、  ５：周壁部、  １０Ａ，１０Ｂ：短辺、  １１Ａ，１１Ｂ：長辺、  １２：上面、  １３：隆起部、  １３Ａ：下面、  １４：下面、  １５Ａ〜１５Ｄ：コーナー部、  ２１Ａ，２１Ｃ：短辺側山部、  ２２Ａ〜２２Ｄ：コーナー側谷部、  ２３Ａ〜２３Ｄ：長辺側山部、  ２４Ａ、２４Ｂ：長辺側山間部、  ３１Ａ，３１Ｂ：横リブ、  ３２Ａ，３２Ｂ：縦リブ、  ４１〜４４：中間リブ、  ５１：コーナーリブ、  ５２，５３：ブリッジリブ
【図１】
2013175651.tif 000003
【図２】
2013175651.tif 000004
【図３】
2013175651.tif 000005
【図４】
2013175651.tif 000006
【図５】
2013175651.tif 000007
【図６】
2013175651.tif 000008
【図７】
2013175651.tif 000009
【図８】
2013175651.tif 000010
【図９】
2013175651.tif 000011
【図１０】
2013175651.tif 000012
【図１１】
2013175651.tif 000013
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
樹脂製の板状部分の強度を向上する構造であって、
前記板状部分は、互いに直交する、水平面内の一方向である横方向に延びる第１の対称軸及び縦方向に延びる第２の対称軸を有し、
前記板状部分の上面は、当該板状部分の輪郭よりも内側の領域で、上方に盛り上がるように形成された隆起部を有し、
前記隆起部の輪郭は、前記第１の対称軸及び前記第２の対称軸に対して線対称になっていて、
前記隆起部の輪郭のうち、前記第２の対称軸によって分けた一方側である横半部では、
前記第１の対称軸の方向において前記板状部分の輪郭に向かって凸状となっている短辺側山部と、
前記短辺側山部の各端につながり、前記第１の対称軸と前記第２の対称軸とに挟まれた領域で前記板状部分の輪郭に向かって凹状となっているコーナー側谷部と、
前記各コーナー側谷部の前記短辺側山部の反対側の端につながり、前記板状部分の輪郭に向かって凸状となっている長辺側山部と、が形成されており、
前記隆起部の上面及び下面の一方には、少なくとも、
前記板状部分の輪郭に向かうにつれて拡開するように当該隆起部を前記横方向に沿って横断する一対の横リブ、又は、
前記板状部分の輪郭に向かうにつれて拡開するように当該隆起部を前記縦方向に沿って縦断する一対の縦リブが形成されている、構造。
【請求項２】
前記横リブ及び前記縦リブを有し、前記横リブが少なくとも前記隆起部の上面及び下面の一方にあり、前記縦リブが少なくとも前記隆起部の上面及び下面の一方にある、請求項１に記載の構造。
【請求項３】
前記横リブと前記縦リブとは、互いに交差している、請求項２に記載の構造。
【請求項４】
前記板状部分は、短辺が前記第２の対称軸と平行に延在し且つ長辺が前記第１の対称軸と平行に延在する長方形である、請求項１ないし３のいずれか一項に記載の構造。
【請求項５】
前記短辺側山部は、前記短辺の中心に向かって凸状となっている、請求項４に記載の構造。
【請求項６】
前記コーナー側谷部は、前記短辺と前記長辺とが交わるコーナー部に向かって凹状となっている、請求項４又は５に記載の構造。
【請求項７】
前記長辺側山部は、前記長辺に向かって凸状となっている、請求項４ないし６のいずれか一項に記載の構造。
【請求項８】
前記一対の横リブは、前記第１の対称軸に対して線対称に配置されている、請求項４ないし７のいずれか一項に記載の構造。
【請求項９】
前記一対の横リブは、前記短辺に向かうにつれて拡開するように前記隆起部を横断する、請求項８に記載の構造。
【請求項１０】
前記一対の縦リブは、前記第２の対称軸に対して線対称に配置されている、請求項４ないし９のいずれか一項に記載の構造。
【請求項１１】
前記一対の縦リブは、前記長辺に向かうにつれて拡開するように前記隆起部を縦断する、請求項１０に記載の構造。
【請求項１２】
前記長辺側山部は、前記長辺の長さの１/３の長さだけ前記短辺から離れた位置で前記長辺に向かって最も凸状となっている、請求項４ないし１１のいずれか一項に記載の構造。
【請求項１３】
前記隆起部の輪郭の縦半部では、当該輪郭の一方の横半部にある長辺側山部と、当該輪郭の他方の横半部にある長辺側山部とが、長辺側山間部でつながれており、
前記長辺側山間部は、これら長辺側山部よりも小さい突出量で前記長辺の中心に向かって凸状となっている、請求項１２に記載の構造。
【請求項１４】
前記隆起部の外側の領域には、
前記横リブの両端を少なくとも前記短辺及び前記長辺の一方につなぐように延びる第１の外リブと、
前記縦リブの両端を前記長辺につなぐように延びる第２の外リブと、が形成されている、請求項４ないし１３のいずれか一項に記載の構造。
【請求項１５】
前記横リブ及び前記縦リブは、前記隆起部の下面に形成され、
前記第１の外リブ及び第２の外リブは、前記板状部分の上面に形成されている、請求項１４に記載の構造。
【請求項１６】
前記横リブ及び前記縦リブは、前記隆起部の上面に形成され、
前記第１の外リブ及び前記第２の外リブは、前記板状部分の上面に形成されている、請求項１４に記載の構造。
【請求項１７】
前記隆起部の内側の領域には、
前記横リブ同士をつなぐ複数の第１の中間リブと、
前記縦リブ同士をつなぐ複数の第２の中間リブと、
前記横リブと前記縦リブとをつなぐ複数の第３の中間リブと、が形成されている、請求項４ないし１６のいずれか一項に記載の構造。
【請求項１８】
前記隆起部の内側の領域には、
前記横リブ及び前記縦リブから外れた位置にて、当該隆起部の輪郭をつなぐように延びる第４の中間リブが形成されている、請求項１７に記載の構造。
【請求項１９】
前記隆起部の外側の領域には、前記短辺と前記長辺とをつなぐように延びるコーナーリブが形成されている、請求項４ないし１８のいずれか一項に記載の構造。
【請求項２０】
前記隆起部の外側の領域には、さらに、前記コーナーリブと前記コーナー側谷部とをつなぐように延びるブリッジリブが形成されている、請求項１９に記載の構造。
【請求項２１】
前記板状部分の厚みは１〜５ｍｍである、請求項１ないし２０のいずれか一項に記載の構造。
【請求項２２】
前記横リブ又は前記縦リブの高さは１〜５ｍｍであって、厚みが１〜５ｍｍである、請求項１ないし２１のいずれか一項に記載の構造。
【請求項２３】
短辺が縦方向に延在し且つ長辺が横方向に延在する樹脂製の略長方形の板状部分の強度を向上する構造であって、
前記板状部分の上面は、前記略長方形の輪郭よりも内側の領域で、上方に盛り上がるように形成された隆起部を有し、
前記隆起部の輪郭は、縦の中心線及び横の中心線に対して線対称になっていて、
前記隆起部の輪郭の横半部では、
前記短辺の中心に向かって凸状となっている短辺側山部と、
前記短辺側山部の各端につながり、前記短辺と前記長辺とが交わるコーナー部に向かって凹状となっているコーナー側谷部と、
前記各コーナー側谷部につながり、前記長辺に向かって凸状となっている長辺側山部と、が形成されており、
前記隆起部の上面及び下面の一方には、少なくとも、
前記横の中心線に対して線対称に配置され、且つ、前記短辺に向かうにつれて拡開するように当該隆起部を横断する一対の横リブと、
前記縦の中心線に対して線対称に配置され、且つ、前記長辺に向かうにつれて拡開するように当該隆起部を縦断する一対の縦リブと、が形成されており、
前記横リブと前記縦リブとは、互いに交差している、構造。
【請求項２４】
請求項４ないし２０のいずれか一項又は請求項２３に記載の構造を備え、下方が開口した略直方体形状の部材であって、
前記板状部分と、
前記板状部分の周縁から下方に延びた周壁部と、を有する、略直方体形状の部材。
【請求項２５】
当該略直方体形状の部材は、オイルパンの少なくとも一部を構成するものであり、
前記樹脂は、ガラス繊維強化ポリアミド６６又はポリアミド６である、請求項２４に記載の略直方体形状の部材。
【請求項２６】
当該略直方体形状の部材は、太陽光発電モジュール用ジャンクションボックスの少なくとも一部を構成するものであり、
前記樹脂は、変性ＰＰＥである、請求項２４に記載の略直方体形状の部材。
【手続補正２】
【補正対象書類名】明細書
【補正対象項目名】００５６
【補正方法】変更
【補正の内容】
【００５６】
コーナーリブ５１は、隆起部１３の外側の領域にて短辺１０Ａと長辺１１Ａとをつなぐように、コーナー部１５Ａに形成されている。コーナーリブ５１は、短辺１０Ａから右方向に延びる部分リブ５１ａと、長辺１１Ａから下方向に延びる部分リブ５１ｂと、部分リブ５１ａと部分リブ５１ｂとをつなぐ傾斜した部分リブ５１ｃと、からなる。
【手続補正３】
【補正対象書類名】明細書
【補正対象項目名】００７３
【補正方法】変更
【補正の内容】
【００７３】
また、板状部分４の各リブ（３１Ａ，３１Ｂ，３２Ａ，３２Ｂ，４１〜４５，５１〜５７）の少なくとも１つについては、上述した実施形態とは異なる面に設けてもよい。例えば、横リブ３１Ａを隆起部１３の下面１３ａに形成しつつ、横リブ３１Ｂを隆起部１３の上面１２に形成することも可能である。ただし、バランスなどを考慮すれば、対称に配置されるリブ同士（例えば、横リブ３１Ａ、３１Ｂ）については、同じ面に形成することが好ましい。
【手続補正４】
【補正対象書類名】明細書
【補正対象項目名】００７６
【補正方法】変更
【補正の内容】
【００７６】
隆起部１３の内側にあるリブ構成（３１Ａ，３１Ｂ，３２Ａ，３２Ｂ，４１〜４５）は、隆起部１３の上面１２に形成されており、そのいずれのリブも、同じ高さを有し、隆起部１３の外側にあるリブにつながれている。なお、図１１（Ｂ）では、複数のリブの視認性を確保するために、基本リブである横リブ３１Ａ，３１Ｂ及び縦リブ３２Ａ，３２Ｂをグレーで色付けしている。横リブ３１Ａ，３１Ｂの両端は、短辺側山部２１Ａ，２１Ｃに至った後、リブ（第１の外リブ）を介して短辺１０Ａ、１０Ｂ及び長辺１１Ａにつながれている。また、縦リブ３２Ａ、３２Ｂの両端は、長辺側山間部２４Ａ、２４Ｂに至った後、リブ５４〜５７を介して長辺１１Ａ、１１Ｂにつながれている。横リブ３１Ａ，３１Ｂ同士をつなぐ中間リブ４１は、計１４本あり、いくつかは横リブ３１Ａ，３１Ｂを超えて延在している。縦リブ３２Ａ，３２Ｂ同士をつなぐ中間リブ４２は、計８本あり、いくつかは縦リブ３２Ａ，３２Ｂを超えて延在している。横リブ３１Ａ又は横リブ３１Ｂと縦リブ３２Ａ，３２Ｂとを斜めにつなぐ中間リブ４３は、計４本ある。なお、上述の中間リブ４４は、ここでは配置されていないが、もちろん配置することが可能である。
【手続補正５】
【補正対象書類名】明細書
【補正対象項目名】００８４
【補正方法】変更
【補正の内容】
【００８４】
１：ジャンクションボックス、  ３：蓋、  ４：板状部分、  ５：周壁部、  １０Ａ，１０Ｂ：短辺、  １１Ａ，１１Ｂ：長辺、  １２：上面、  １３：隆起部、  １３ａ：下面、  １４：下面、  １５Ａ〜１５Ｄ：コーナー部、  ２１Ａ，２１Ｃ：短辺側山部、  ２２Ａ〜２２Ｄ：コーナー側谷部、  ２３Ａ〜２３Ｄ：長辺側山部、  ２４Ａ、２４Ｂ：長辺側山間部、  ３１Ａ，３１Ｂ：横リブ、  ３２Ａ，３２Ｂ：縦リブ、  ４１〜４４：中間リブ、  ５１：コーナーリブ、  ５２，５３：ブリッジリブ
【手続補正６】
【補正対象書類名】図面
【補正対象項目名】図２
【補正方法】変更
【補正の内容】
【図２】
2013175651.tif 000014
【国際調査報告】
2013175651.tif 000015
2013175651.tif 000016
2013175651.tif 000017
2013175651.tif 000018